(57)【要約】【課題】ケーブルエンジニアリング及び現地試験において、仮想図面を作成し、標準シーケンス図と各装置の必要な取り合い情報等を表示、保存できる仮想図面装置を提供する。【解決手段】本発明は、ケーブルエンジニアリングに必要なデータ、及びその処理プログラムを格納するメモリ２５を有し、画像データを入力するデータ入力部２２と、入力された画像データについて前記メモリの処理プログラムを実行しケーブルエンジニアリング用の仮想図面を作成するＣＰＵ２１と、入力装置５と、操作画面及び仮想図面を表示する表示装置６と、仮想図面を出力するデータ出力部２３と、仮想図面を印刷する出力装置４とから構成されることを特徴とする。【選択図】図１
2008203987.tif 000002
【特許請求の範囲】
【請求項１】
ケーブルエンジニアリングに必要なデータ、及びその処理プログラムを格納するメモリを有し、
標準シーケンス図面のような画像データを入力するデータ入力部と、
前記データ入力部より入力された画像データについて前記メモリの処理プログラムを実行し、ケーブルエンジニアリング用の仮想図面を作成するＣＰＵと、
前記ＣＰＵと接続され作業員が入力操作を行うための入力装置と、
作業員が操作をするための操作画面及び前記仮想図面を表示する表示装置と、
前記仮想図面の出力処理をするデータ出力部と、
前記データ出力部からの出力により仮想図面を印刷する出力装置と、
から構成されることを特徴とする仮想図面装置。
【請求項２】
請求項１記載の仮想図面装置において、前記メモリは、データ処理を行う処理プログラムと、前記画像データをイメージファイルとして一時保存した処理データと、前記処理データに前記画像データについての登録情報を付加したオリジナル図面データと、前記オリジナル図面データに取り合い情報を関連付けて保存したケーブルエンジニアリング用データとからなることを特徴とする仮想図面装置。
【請求項３】
請求項２記載の仮想図面装置において、前記メモリに、前記ケーブルエンジニアリング用データと現地試験用の試験情報を関連付けて保存した試験用データを加えることにより、現地試験のための試験用シーケンス図面を表示可能としたことを特徴とする仮想図面装置。
【請求項４】
請求項１ないし３記載の仮想図面装置において、標準シーケンス図面を読み込むための読取装置を設け、読み込んだ画像データを前記データ入力部へ入力することを特徴とする仮想図面装置。
【請求項５】
請求項１ないし４記載の仮想図面装置において、装置内に通信処理部を設けた２つの仮想図面装置を、現地、本部のそれぞれに配置し、各仮想図面装置は、前記通信処理部を経由してお互いのデータを送受信し共有する構成としたことを特徴とする仮想図面装置。
【請求項６】
請求項５記載の仮想図面装置において、現地に配置した仮想図面装置に、
前記仮想図面を表示するための携帯型端末と、
前記携帯型端末に入力するための携帯型端末入力手段とを接続し、
前記携帯型端末と通信を行う端末用通信処理部を設けたことを特徴とする仮想図面装置。
【発明の詳細な説明】
【技術分野】
【０００１】
本発明は、ケーブルエンジニアリング及び現地試験において、標準シーケンス図と各装置の取り合い情報等を仮の図面上に表記、保存する仮想図面装置に関する。
【背景技術】
【０００２】
一般に、ケーブルエンジニアリングは、現地工事等でお互いに独立する装置または機器間のケーブル接続の際の一手法であり、シーケンス図面に記載された取り合い情報をもとにケーブル符号、芯数の洗い出しや回路に応じた種別等を決定し、ケーブル工事に使用するケーブル接続図が作成することにより行われる。このケーブル接続図は、ケーブルの布設、接続を行うために工事用に作成される図面で、お互いに取り合う盤又は装置のそれぞれの端子台部とその盤間を接続するケーブルの符号、芯線番号等の取り合い情報をケーブル単位毎に表記したものである。ここで、取り合い情報とは、お互いに必要となる接点信号、アナログ信号等についての、図面を呼び合うための図番、シーケンス図面シート番号、端子台番号、ケーブル符号、芯線番号等の情報のことである。
【０００３】
装置単体の標準シーケンス図を使用して装置間のケーブルエンジニアリングを行う場合、例えば閉鎖型配電盤のような開閉器単体の標準シーケンス図には、個々の取り合い情報等は記載されない。配電盤と取り合う相手装置の図面は個々の信号毎に作成する必要があるため、現状は、作業員がシーケンス図面に必要な取り合い情報を書き込み、書き込まれた取り合い情報をもとにケーブル接続図を作成する作業を行っている。現地でのケーブル工事は、各系統順に計画された現地工程に沿って進められ、このケーブル接続図に基づいて行われる。
【０００４】
また、現地試験については現地試験用として発行されるシーケンス図面を用いて行われるが、標準シーケンス図を用いる場合、上記と同様に個々の取り合い情報が記載されていない。そのため、作業員は標準シーケンス図を相手側装置の図面を１対１に対応させるため、系統機器毎の試験用シーケンス図面を仮に作成し、ケーブル接続確認、シーケンス試験を行っている。また、確認された回路については、この図面上を塗りつぶすことにより、試験の進捗状況を判別している。
【０００５】
特開２００３−２８１１９６号公報には、工場や発電所等各種プラント、施設における各種制御盤間や機器間を接続するケーブルや配管の接続管理を行う機器接続管理システムが開示されている。
【特許文献１】特開２００３−２８１１９６号公報
【発明の開示】
【発明が解決しようとする課題】
【０００６】
しかしながら、前述したケーブルエンジニアリングにおいて、標準シーケンス図を用いる場合、作業員がケーブルエンジニアリング用の仮の図面を作成し、必要な取り合い情報を書き込む作業が必要であり、作業効率が悪いという問題点があった。また、書き込んだ情報は、仮の図面上は正式図面である標準シーケンス図上に表記されないため、記録として残せないという問題もあった。そのため、次の工程である現地試験においても、取り合い情報の表記されていない標準シーケンス図を用いることになり、同様の問題が発生していた。
【０００７】
更に、標準シーケンス図面が改訂された場合、その都度仮の図面を更新・差し替える必要があり、更新前にすでに書き込んでいた取り合い情報及び塗つぶし状況等全ての情報を最新の図面に転記する必要が出てくる。また、図面を転記する際の誤記や漏れのおそれがあった。
【０００８】
本発明は、前述した課題を解決するためになされたものであり、ケーブルエンジニアリング及び現地試験において、仮想図面を作成し、標準シーケンス図と各装置の必要な取り合い情報等を表示、保存できる仮想図面装置を提供することを目的とする。
【課題を解決するための手段】
【０００９】
上記目的を達成するために、請求項１の発明においては、ケーブルエンジニアリングに必要なデータ、及びその処理プログラムを格納するメモリを有し、標準シーケンス図面のような画像データを入力するデータ入力部と、前記データ入力部より入力された画像データについて前記メモリの処理プログラムを実行し、ケーブルエンジニアリング用の仮想図面を作成するＣＰＵと、前記ＣＰＵと接続され、作業員が入力操作を行うための入力装置と、作業員が操作をするための操作画面及び前記仮想図面を表示する表示装置と、前記仮想図面の出力処理をするデータ出力部と、前記データ出力部からの出力により仮想図面を印刷する出力装置と、から構成されることを特徴とする。
【発明の効果】
【００１０】
本発明の仮想図面装置により、標準シーケンス図を用いて、各装置の取り合い情報などを表記した仮想図面を作成し、保存することが可能となり、ケーブルエンジニアリング時、及び現地試験時の作業効率を向上させることができる。また、誤記等の作業ミスを防止することもできる。
【発明を実施するための最良の形態】
【００１１】
以下、本発明に係る仮想図面装置の実施例について、図面を参照して説明する。
【００１２】
図１は、本実施の形態に係る仮想図面装置を用いたケーブルエンジニアリングの基本構成を示す図である。図１に示すように、仮想図面装置は、標準図面等の登録やケーブルエンジニアリングを行う設計部門などの本部１、発電所などの試験調整を行う現地９にそれぞれ設けられている。
【００１３】
本部１の仮想図面装置２は、標準シーケンス図面等を画像データとして読み込む読取装置３、仮想図面を印刷出力する出力装置４、図面の入出力操作、データ編集などの操作を行うための入力装置５、取り込んだ図面やデータを表示するとともに作業員による入力装置５からの入力操作に対応する操作画面を表示する表示装置６と接続される。仮想図面装置２は、演算、プログラム実行処理を行うＣＰＵ２１、読取装置３からの画像データを入力するデータ入力部２２、仮想図面を出力装置へ出力するデータ出力部２３、現地９の仮想図面装置１０と通信を行う通信処理部２４、ケーブルエンジニアリングに必要なデータ等を格納するメモリ２５で構成され、メモリ２５には、画像データ等のデータ処理を行なう処理プログラム２５ａ、入力された画像データ等を一時的に保存する処理データ２５ｂ、処理データ２５ｂに登録情報を付加したオリジナル図面データ２５ｃ、オリジナル図面データ２５ｃに取り合い情報を付加したケーブルエンジニアリング用データ２５ｄ、ケーブルエンジニアリング用データ２５ｄに現地試験用の情報を付加した試験用データ２５ｅが格納されている。
【００１４】
同様に、現地９の仮想図面装置１０は、読取装置１１、出力装置１２、入力装置１３、表示装置１４、更に端末用通信処理分１０６を介して試験用シーケンス図面を仮想図面として表示する携帯型端末１５、この携帯型端末１５に入力操作を行うための電子ペン１６と接続される。仮想図面装置１０は、本部１の仮想図面装置２と同様に、演算処理を行うＣＰＵ１０１、データ入力部１０２、データ出力部１０３、本部１の仮想図面装置２と通信を行う通信処理部１０４と、処理プログラム１０５ａ、処理データ１０５ｂ、オリジナル図面データ１０５ｃ、ケーブルエンジニアリング用データ１０５ｄ、試験用データ１０５ｅを格納するメモリ１０５と、更に携帯型端末１５と通信を行う端末用通信処理部１０６から成る。
【００１５】
本発明の仮想図面装置２を中心とした動作について説明する。ここでは、閉鎖型配電盤のような標準シーケンス図面を使用した他装置間とのケーブルエンジニアリングを行う例を説明する。
【００１６】
本部１において、作業員は標準シーケンス図面等の読み込み対象の図面を読取装置３に置き、入力装置５から図面読み取り操作を指示することにより読取装置３が起動される。入力装置５としては、例えば、キーボードやマウス等を用いる。また、図面読み取り操作は、例えば、表示装置６の操作画面に「図面読取」のボタンを表示し、このボタンを入力装置５から選択することにより、読取装置３が起動される。読取装置３で読取られた図面は、画像データとしてデータ入力部２２を介してＣＰＵ２１へ入力される。ＣＰＵ２１では、メモリ２５の処理プログラム２５ａが実行され、入力された画像データからイメージファイルが作成され、処理データ２５ｂに一時的に保存される。
【００１７】
作業員は、入力装置５より処理データ２５ｂに一時保存されたイメージファイルに対応する、データ番号、データ名、図面番号、改訂履歴、入力日等の登録情報を入力する。このとき、入力された登録情報は処理データ２５ｂに一時的に保存され、さらに、処理プログラム２５ａは、この登録情報をイメージファイルに付加し、オリジナル図面としてオリジナル図面データ２５ｃに格納する。このように、読み込まれた標準シーケンス図面の画像データは、登録情報付きのイメージファイルとして保存される。この登録情報付きイメージファイルをオリジナル図面と呼ぶ。
【００１８】
次に、ケーブルエンジニアリング用図面を作成する。作業員は、入力装置５から仮想図面番号、シート番号、シート名称及び配電盤ユニット番号等を入力するとともにオリジナル図面２５ｃに格納されたオリジナル図面の中から、対象となる図面の図面番号およびシーケンス図面を選択する。処理プログラム２５ａは、オリジナル図面データ２５ｃと関連づけを行い、ケーブルエンジニアリング用の図面を作成し、仮想図面としてケーブルエンジニアリング用データ２５ｄに格納する。これにより、取り合う相手側の装置と１対１となる図面が保存される。
【００１９】
仮想図面は、入力装置５から仮想図面番号を入力することにより、ケーブルエンジニアリング用データ２５ｄに格納された仮想図面が呼び出され、表示装置６に表示される。図２は、仮想図面の表示画面例を示す図である。この表示図面において、相手装置との取り合い情報である取り合い先図面番号、シート番号、ケーブル符号及び装置名等の情報が入力装置５から入力されると、処理プログラム２５ａは、入力された取り合い情報を追加し表示中の仮想図面を更新し、ケーブルエンジニアリング用データ２５ｄに再度格納する。これにより、相手装置との取り合い情報が記載された図面に更新され、保存される。また、仮想図面は、データ出力部２３、出力装置４により印刷することもできる。
【００２０】
ここで、図３は仮想図面と取り合い情報の関連付けを説明する図、図４は表示される仮想図面のイメージを示す図である。処理プログラム２５ａから取り合い情報作成指令ｍが出力され、表示中の仮想図面のオリジナル図面データ２５ｃに格納されたオリジナル図面ｏ１はデータｏ２として、また、ケーブルエンジニアリング用データ２５ｄに格納されたデータｃ１はデータｃ２として、処理データ２５ｂに一時的に保存される。このデータｃ２に、データｏ２を合成してデータｃ３を作成し、このデータｃ３が表示装置６に表示される。
【００２１】
入力装置５から入力される相手装置との取り合い情報は、処理データ２５ｂのデータｃ２に書き込まれ、更にこのデータｃ２をケーブルエンジニアリング用データ２５ｄのデータｃ１と置き換えることにより、登録した取り合い情報を反映した仮想図面が保存される。置き換えられたデータｃ１は新たなデータｃ２として処理データ２５ｂに格納され、更新されたデータｃ３が表示装置６に表示される。図５は、取り合い情報登録後の仮想図面の表示例を示す図である。
【００２２】
次に、現地９で現地試験を行う場合、仮想図面装置１０を中心とした動作について説明する。
【００２３】
先ず、本部１の仮想図面装置２と登録データを同一とするため、通信処理部を経由してオリジナル図面データ２５ｃ、ケーブルエンジニアリング用データ２５ｄを現地９の仮想図面装置１０にローディングする。例えば、入力装置１３からデータ受信要求をすると、本部１の仮想図面装置２のオリジナル図面データ２５ｃ及びケーブルエンジニアリング用データ２５ｄのデータは、通信処理部２４，１０４を経由し、ＣＰＵ１０１へ入力される。ＣＰＵ１０１に入力されたデータは、メモリ１０５の処理プログラム１０５ａにより、オリジナル図面データ１０５ｃ及びケーブルエンジニアリング用データ１０５ｄに格納される。このように、データを送受信することにより、本部１と現地９とで同じデータを共有することが可能となる。
【００２４】
次に、現地試験時に使用する試験用シーケンス図面を作成する。処理プログラム１０５ａにより、現地試験用の試験情報と入力装置１３から選択されたケーブルエンジニアリング用図面が関連付けられ、試験用シーケンス図面として試験用データ１０５ｅに格納される。この試験用シーケンス図は仮想図面を表示する携帯型端末１５に表示される。
【００２５】
図６は、開閉器の動作確認試験を実施する場合の携帯型端末１５に表示される画面例を示すものである。携帯型端末１５に入力操作を行う端末入力装置としては、電子ペン１６等を用いる。例えば、図６の機能操作部１５２では、操作項目を要求、選択できるようにボタン等を設け、電子ペン１６から容易に要求を入力できるようにする。図面表示部１５１には、図５と同様の取り合い情報が記載された仮想図面が表示される。この仮想図面を見ながら、開閉器の投入、遮断回路等の動作試験を実施することができる。また、試験実施後回路の確認が済んだものは、電子ペン１６より任意の「対象色」を選択し、図面表示部１５１の仮想図面上の該当箇所をペンでなぞる（触る）と、その部分の塗りつぶしが行われその結果は試験用データ１０５ｅに保存される。
【００２６】
図７は仮想図面と試験情報の関連付けを説明する図、図８は表示される試験用仮想図面のイメージを示す図である。処理プログラム１０５ａから試験情報作成指令ｎが出されることにより、オリジナル図面データ１０５ｃに格納されたオリジナル図面であるｏ１０はデータｏ１１として、またケーブルエンジニアリング用データ１０５ｄに各ヌされたデータｃ１０はデータｃ１１として、試験用データ１０５ｅに格納されたデータｔ１０はデータｔ１１として処理データ１０５ｂに格納される。データｃ１１にデータｏ１１を合成してデータｃ１２を作成し、更にデータｔ１１にデータｃ１２を合成してデータｔ１２を作成し、このデータｔ１２が携帯型端末１５に表示される。
【００２７】
ここで、電子ペン１６より入力される新たな取り合い情報や仮想図面の塗りつぶし情報は、処理データ１０５ｂのデータｔ１１に書き込まれ、更にこのデータｔ１１を試験用データなる。更にそのデータｔ１１を試験用データ１０５ｄのデータｔ１０と置き換えることにより、試験情報を含む試験用図面が保存される。置き換えられたデータｔ１０は新たなデータｔ１１として処理データ１０５ｂに再度格納され、更新されたデータｔ１２が携帯型端末１５に表示される。図８は携帯型端末１５に表示される試験情報登録後の仮想図面例を示す図、図９は試験後の塗りつぶしを行った後の仮想図面例を示す図である。
【００２８】
このように、試験用データ１０５ｅが保存されたので、このデータを本部１の仮想図面装置２に登録する。入力装置１３よりデータ送信を要求すると、現地９の仮想図面装置１０より試験用データ１０５ｅのデータは通信処理部１０４、２４を経由し、ＣＰＵ２１へ入力される。ＣＰＵ２１に入力されたデータは、メモリ２５の処理プログラム２５ａにより試験用データ２５ｅに格納される。これにより、本部１の仮想図面装置２と現地９の仮想図面装置１０の登録内容が同一となる。このように、お互いの情報を共有することが可能となり、本部、現地の仮想図面装置が連携することができる。
【００２９】
なお、入力装置５、１３からの入力操作は、表示装置６、１４の表示画面上に、例えば、「図面読取」、「オリジナル図面データ作成」、「ケーブルエンジニアリングシートの作成」、「取り合い情報作成」、「試験シート作成」、「試験情報作成」等のボタンを表示し、作業員は、このボタンを入力装置５から選択することにより、仮想図面装置へ各動作を要求することができる。
【図面の簡単な説明】
【００３０】
【図１】本実施の形態に係る仮想図面装置の基本構成を示す図
【図２】仮想図面の表示画面例を示す図
【図３】仮想図面と取り合い情報の関連付けを説明する図
【図４】表示される仮想図面のイメージを示す
【図５】取り合い情報登録後の仮想図面の表示例を示す図
【図６】携帯型端末１５に表示される画面例を示す図
【図７】仮想図面と試験情報の関連付けを説明する図
【図８】表示される試験用仮想図面のイメージを表す図
【図９】試験確認後の塗りつぶしを行った後の仮想図面例を示す図
【符号の説明】
【００３１】
１…本部
９…現地
２、１０…仮想図面装置
３、１１…読取装置
４、１２…出力装置
５、１３…入力装置
６、１４…表示装置
１５…携帯型端末
１６…電子ペン
２１、１０１…ＣＰＵ
２２、１０２…データ入力部
２３、１０３…データ出力部
２４、１０４…通信処理部
２５、１０５…メモリ
２５ａ、１０５ａ…処理プログラム
２５ｂ、１０５ｂ…処理データ
２５ｃ、１０５ｃ…オリジナル図面データ
２５ｄ、１０５ｄ…ケーブルエンジニアリング用データ
２５ｅ、１０５ｅ…試験用データ
【図１】
2008203987.tif 000003
【図２】
2008203987.tif 000004
【図３】
2008203987.tif 000005
【図４】
2008203987.tif 000006
【図５】
2008203987.tif 000007
【図６】
2008203987.tif 000008
【図７】
2008203987.tif 000009
【図８】
2008203987.tif 000010
【図９】
2008203987.tif 000011